【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
複数の印刷装置を有し、前記複数の印刷装置が、ネットワークを介して、前記複数の印刷装置に保存される印刷データの書誌情報を管理する書誌サーバーと接続される印刷システムであって、
各印刷装置は、
自装置に保存される印刷データの保存期間を設定する設定手段と、
前記書誌サーバーによって管理されている書誌情報を取得する取得手段と、
前記取得手段により取得された書誌情報に対応する印刷データが前記設定手段により設定された保存期間よりも長く保存されていて、かつ、当該印刷データの保存先が自装置であることを当該書誌情報が示す場合、前記自装置に保存されている前記印刷データの削除を行い、前記取得手段により取得された書誌情報に対応する印刷データが前記設定手段により設定された保存期間よりも長く保存されていて、かつ、当該印刷データの保存先が前記自装置でないことを当該書誌情報が示す場合、前記印刷データの削除を行わないように制御する削除手段と、
を有することを特徴とする印刷システム。
【請求項２】
前記削除手段は、前記取得手段により取得された書誌情報に対応する印刷データが前記設定手段により設定された保存期間よりも長く保存されていて、かつ、当該印刷データの保存先が前記自装置でないことを当該書誌情報が示す場合、当該印刷データの削除要求を、当該印刷データの保存先である他の印刷装置に対して行わないことを特徴とする請求項１に記載の印刷システム。
【請求項３】
前記取得手段により取得された書誌情報に対応する印刷データの保存先が前記自装置でないことを当該書誌情報が示す場合、前記印刷データは、当該印刷データの保存先である他の印刷装置に設定された保存期間を超える際に、削除されることを特徴とする請求項１または２に記載の印刷システム。
【請求項４】
前記各印刷装置は、
前記取得手段により取得された書誌情報を用いて表示される印刷データの一覧に基づき、ユーザーによる印刷データの削除指示を受け付ける受付手段をさらに有し、
前記削除手段は、前記受付手段により受け付けた削除指示にかかる印刷データについては、当該印刷データの保存先が自装置であるかどうかにかかわらず、当該印刷データを削除するよう制御することを特徴とする請求項１乃至３のいずれか１項に記載の印刷システム。
【請求項５】
前記削除手段は、前記受付手段により受け付けた削除指示にかかる印刷データの保存先が自装置である場合、前記自装置に保存される印刷データを削除し、前記受付手段により受け付けた削除指示にかかる印刷データの保存先が前記自装置でない場合、当該印刷データの保存先である他の印刷装置に対して、前記他の印刷装置に保存される印刷データの削除を要求することを特徴とする請求項４記載の印刷システム。
【請求項６】
前記削除手段は、前記取得手段により取得された書誌情報から、削除される印刷データの書誌情報を削除することを特徴とする請求項１乃至５のいずれか１項に記載の印刷システム。
【請求項７】
前記書誌情報は、前記書誌サーバーによりユーザーごとに管理されており、
前記取得手段は、ユーザーがログインしたことに従って、ログインユーザーに関連づく書誌情報を取得することを特徴とする請求項１乃至６のいずれか１項に記載の印刷システム。
【請求項８】
前記書誌情報は、前記印刷データを識別するための識別情報と、前記印刷データの印刷設定を含むことを特徴とする請求項１乃至７のいずれか１項に記載の印刷システム。
【請求項９】
前記各印刷装置は、
情報処理装置から送信された印刷データを受信する受信手段と、
前記受信手段により受信した印刷データを保存する保存手段と、
前記保存手段に保存される印刷データの書誌情報であって、前記印刷データの保存先である印刷装置を特定するための特定情報と、前記印刷データの受信日時と、を少なくとも含む書誌情報を書誌サーバーに登録する登録手段と、
前記書誌サーバーによって管理されている書誌情報を取得した他の印刷装置からの要求に従って、前記保存手段に保存される印刷データを送信する送信手段と、をさらに有する
ことを特徴とする請求項１乃至８のいずれか１項に記載の印刷システム。
【請求項１０】
前記印刷システムに含まれる複数の印刷装置のいずれか一つは、前記書誌サーバーとして機能することを特徴とする請求項１から９のいずれか１項に記載の印刷システム。
【請求項１１】
ネットワークを介して、複数の印刷装置に記憶される印刷データの書誌情報を管理する書誌サーバーと接続される前記複数の印刷装置に含まれる印刷装置であって、
前記印刷装置に保存される印刷データの保存期間を設定する設定手段と、
前記書誌サーバーによって管理されている書誌情報を取得する取得手段と、
前記取得手段により取得された書誌情報に対応する印刷データが前記設定手段により設定された保存期間よりも長く保存されていて、かつ、当該印刷データの保存先が自装置であることを当該書誌情報が示す場合、前記自装置に保存されている前記印刷データの削除を行い、前記取得手段により取得された書誌情報に対応する印刷データの保存先が前記自装置でないことを当該書誌情報が示す場合、前記印刷データの削除を行わないように制御する削除手段と、
を有することを特徴とする印刷装置。
【請求項１２】
複数の印刷装置を有し、前記複数の印刷装置が、ネットワークを介して、前記複数の印刷装置に保存される印刷データの書誌情報を管理する書誌サーバーと接続される印刷システムの制御方法であって、
各印刷装置は、
自装置に保存される印刷データの保存期間を設定する設定工程と、
前記書誌サーバーによって管理されている書誌情報を取得する取得工程と、
前記取得工程で取得された書誌情報に対応する印刷データが前記設定工程で設定された保存期間よりも長く保存されていて、かつ、当該印刷データの保存先が自装置であることを当該書誌情報が示す場合、前記自装置に保存されている前記印刷データの削除を行い、前記取得工程で取得された書誌情報に対応する印刷データが前記設定工程で設定された保存期間よりも長く保存されていて、かつ、当該印刷データの保存先が前記自装置でないことを当該書誌情報が示す場合、前記印刷データの削除を行わないように制御する削除工程と、
を有することを特徴とする印刷システムの制御方法。
【請求項１３】
ネットワークを介して、複数の印刷装置に記憶される印刷データの書誌情報を管理する書誌サーバーと接続される前記複数の印刷装置に含まれる印刷装置の制御方法であって、
前記印刷装置に保存される印刷データの保存期間を設定する設定工程と、
前記書誌サーバーによって管理されている書誌情報を取得する取得工程と、
前記取得工程で取得された書誌情報に対応する印刷データが前記設定工程で設定された保存期間よりも長く保存されていて、かつ、当該印刷データの保存先が自装置であることを当該書誌情報が示す場合、前記自装置に保存されている前記印刷データの削除を行い、前記取得工程で取得された書誌情報に対応する印刷データの保存先が前記自装置でないことを当該書誌情報が示す場合、前記印刷データの削除を行わないように制御する削除工程と、
を有することを特徴とする印刷装置の制御方法。
【請求項１４】
請求項１１に記載の手段としてコンピューターを機能させるためのプログラム。
【手続補正２】
【補正対象書類名】明細書
【補正対象項目名】発明の名称
【補正方法】変更
【補正の内容】
【発明の名称】印刷システム、印刷装置、印刷システムの制御方法、印刷装置の制御方法及びプログラム
【手続補正３】
【補正対象書類名】明細書
【補正対象項目名】０００８
【補正方法】変更
【補正の内容】
【０００８】
上記課題を解決するため、本発明は、複数の印刷装置を有し、前記複数の印刷装置が、ネットワークを介して、前記複数の印刷装置に保存される印刷データの書誌情報を管理する書誌サーバーと接続される印刷システムであって、各印刷装置は、自装置に保存される印刷データの保存期間を設定する設定手段と、前記書誌サーバーによって管理されている書誌情報を取得する取得手段と、前記取得手段により取得された書誌情報に対応する印刷データが前記設定手段により設定された保存期間よりも長く保存されていて、かつ、当該印刷データの保存先が自装置であることを当該書誌情報が示す場合、前記自装置に保存されている前記印刷データの削除を行い、前記取得手段により取得された書誌情報に対応する印刷データが前記設定手段により設定された保存期間よりも長く保存されていて、かつ、当該印刷データの保存先が前記自装置でないことを当該書誌情報が示す場合、前記印刷データの削除を行わないように制御する削除手段と、を有することを特徴とする。